(57)【特許請求の範囲】
【請求項１】
金庫室と、該金庫室に付設し、顧客に貸金庫ボックスを利用させるブースと、指定の貸金庫ボックスを収納し、前記金庫室と前記ブースとの間の仕切壁の開口部を貫通するようにして往復水平搬送する移送ケースとを備えてなり、該移送ケースは、前記ブース側の前板と左右の側板とを介して貸金庫ボックスを三方向から囲んで隠蔽するとともに、前記開口部から前記ブース側に突出して貸金庫ボックスを利用させる前進位置において、前記移送ケースと前記仕切壁とによって貸金庫ボックスの前記金庫室側を隠蔽しながら上面の蓋を開放可能に露出させ、前記ブースから退出する後退位置において、前記仕切壁と同一平面を形成するようにして前記開口部を塞ぐことを特徴とする貸金庫装置。
【請求項２】
各貸金庫ボックスには、顧客に依存しない固有情報を登録して記憶させ、外部からの顧客の判別情報が固有情報に一致することを条件にして解錠する電気錠を内蔵することを特徴とする請求項１記載の貸金庫装置。
【請求項３】
前記ブースには、顧客が保有する電子マネー機材に応答する入室用リーダを設けることを特徴とする請求項１または請求項２記載の貸金庫装置。
【請求項４】
前記ブースは、貸金庫ボックスを利用して蓋を閉じると、貸金庫ボックスの返却、再利用のいずれかが選択可能であることを特徴とする請求項１ないし請求項３のいずれか記載の貸金庫装置。
【発明の詳細な説明】
【技術分野】
【０００１】
この発明は、顧客の使い勝手を最大に向上させることができる貸金庫装置に関する。
【背景技術】
【０００２】
顧客の要望に応じて貴重品などを安全に保管することができる貸金庫装置が金融機関の店舗などに設置されている。
【０００３】
従来の貸金庫装置は、貴重品保管用の多数の貸金庫ボックスを収納するラックを金庫室内に設置し、顧客の要求に応じて、スタッカクレーンなどの搬送システムを介して指定の貸金庫ボックスをラックから取り出して専用のブースに搬出し、ブース内で貸金庫ボックスの内部を利用させる。また、利用済みの貸金庫ボックスは、搬送システムを介してラックの指定位置に自動的に戻し入れられる（たとえば特許文献１、２）。なお、金庫室に付設するブースには、金庫室からの貸金庫ボックスを利用させるための操作テーブルが配置されており、貸金庫ボックスは、操作テーブルのスライド蓋付きの開口部に搬出して利用することができる（たとえば特許文献３）。
【先行技術文献】
【特許文献】
【０００４】
【特許文献１】特開２００１−２０６１１号公報
【特許文献２】特開２００３−３０１６６４号公報
【特許文献３】特開２００９−５２２１９号公報
【発明の概要】
【発明が解決しようとする課題】
【０００５】
かかる従来技術によるときは、金庫室に付設するブースには、スライド蓋付きの開口部を有する操作テーブルを配置するから、ブース内が窮屈になりがちである上、操作テーブルは、貸金庫ボックスの搬出入に支障がないように配置位置が規制されるため、設計上の自由度に欠けるという問題があった。
【０００６】
そこで、この発明の目的は、かかる従来技術の問題に鑑み、前進位置において仕切壁の開口部からブース側に突出する移送ケースを介して貸金庫ボックスをブースに搬入することによって、厄介な操作テーブルを廃止し、顧客の使い勝手を格段に向上させることができる貸金庫装置を提供することにある。
【課題を解決するための手段】
【０００７】
かかる目的を達成するためのこの発明の構成は、金庫室と、金庫室に付設し、顧客に貸金庫ボックスを利用させるブースと、指定の貸金庫ボックスを収納し、金庫室とブースとの間の仕切壁の開口部を貫通するようにして往復水平搬送する移送ケースとを備えてなり、移送ケースは、ブース側の前板と左右の側板とを介して貸金庫ボックスを三方向から囲んで隠蔽するとともに、開口部からブース側に突出して貸金庫ボックスを利用させる前進位置において、移送ケースと仕切壁とによって貸金庫ボックスの金庫室側を隠蔽しながら上面の蓋を開放可能に露出させ、ブースから退出する後退位置において、仕切壁と同一平面を形成するようにして開口部を塞ぐことをその要旨とする。
【０００８】
なお、各貸金庫ボックスには、顧客に依存しない固有情報を登録して記憶させ、外部からの顧客の判別情報が固有情報に一致することを条件にして解錠する電気錠を内蔵することができる。
【０００９】
また、ブースには、顧客が保有する電子マネー機材に応答する入室用リーダを設けてもよく、ブースは、貸金庫ボックスを利用して蓋を閉じると、貸金庫ボックスの返却、再利用のいずれかが選択可能であってもよい。
【発明の効果】
【００１０】
かかる発明の構成によるときは、移送ケースは、金庫室からの貸金庫ボックスを保持して前進位置に進出し、金庫室、ブース間の仕切壁の開口部を貫通して貸金庫ボックスをブースに搬入するから、ブース内の顧客は、移送ケース内の貸金庫ボックスの蓋を開け、貸金庫ボックスの内部を利用することができる。前進位置の移送ケースは、貸金庫ボックスの四周を隠蔽しながら貸金庫ボックスを取外し不能に保持するとともに、貸金庫ボックスの上面の蓋を開放可能に露出させてブース側に突出するからである。ただし、このときブースに搬入される貸金庫ボックスは、ブース内に入室した認証済みの顧客のものであることが保証されている。また、前進位置の移送ケースは、立ち姿勢の顧客が貸金庫ボックスの内部にアクセスして利用し易い高さ位置に設定されているものとし、したがって、ブース内の操作テーブルを廃止することができる。なお、移送ケースの高さ位置は、椅子に座った顧客でも貸金庫ボックスを利用できるように配慮することが好ましい。
【００１１】
移送ケースは、後退位置に退出して貸金庫ボックスをブースから搬出するとともに、仕切壁と同一平面を形成するようにして開口部を塞ぐため、ブースから金庫室に不正にアクセスすることを阻止するとともに、ブース内の全床面積を顧客の動線として有効に利用させ、顧客の使い勝手を向上させることができる。ただし、ブース内には、たとえば荷物などを置くための補助的なテーブルや椅子などを置いてもよい。また、仕切壁の開口部を貫通して移送ケースを往復移動させるための駆動部は、ブース内の有効床面積を狭めることがないように、仕切壁の金庫室側に配置するものとする。
【００１２】
各貸金庫ボックスは、顧客に依存しない固有情報を登録して記憶させるとともに、外部からの顧客の判別情報によって解錠する電気錠を内蔵することにより、顧客に解錠用のキーを保有させる必要がなく、顧客の使い勝手を一層向上させることができる。ただし、外部からの顧客の判別情報とは、ブース内に入室している認証済みの顧客が契約中の貸金庫ボックスにあらかじめ登録されている固有情報相当の情報であって、外部の管理用のコンピュータから、ブースに搬入される顧客の貸金庫ボックスに対して送付される情報をいう。なお、このような判別情報には、解錠を指示する解錠指示情報を付随させてもよい。そこで、電気錠は、外部からの顧客の判別情報と、貸金庫ボックスにあらかじめ記憶されている固有情報との一致を条件として貸金庫ボックスの蓋を開放可能に解錠することにより、必要十分なセキュリティを実現することができる。また、各貸金庫ボックスの契約者が変更になっても、貸金庫ボックス内の固有情報を書き換える必要がなく、書換不可の固有情報とすることで高いセキュリティを実現することができる。
【００１３】
ブースに入室する際には、顧客が保有する電子マネー機材に応答する入室用リーダを使用して顧客を認証することができる。ただし、ここでいう電子マネー機材とは、たとえば、「おサイフケータイ（登録商標）」機能を有する携帯電話機やスマートフォン、携帯情報端末などの他、「Ｓｕｉｃａ（登録商標）」や「Ｅｄｙ（登録商標）」などの電子マネー機能を有する非接触ＩＣカードなどをいうものとし、これらに内蔵されている非接触ＩＣチップは、ＳＯＮＹ社のＦｅｌｉＣａや、オランダＮＸＰ  Ｓｅｍｉｃｏｎｄｕｃｔｏｒｓ社のＭｉｆａｒｅなどのように、チップメーカが管理するチップ固有のＩＤ番号を外部からリーダにより読取り可能であればよい。
【００１４】
すなわち、顧客は、貸金庫の契約時に、現に自分が保有している電子マネー機材で、自分の認証用に使用したいものを特定し、それに内蔵されている非接触ＩＣチップのＩＤ番号を貸金庫装置の管理用のコンピュータに登録させ、後日の貸金庫ボックスの利用の際に、ブースへの入室用の識別情報として利用することができる。貸金庫装置に専用の認証用の機材を別途持ち歩く必要がなく、顧客の使い勝手が向上する。なお、複数の貸金庫ボックスの契約を希望する顧客は、貸金庫ボックスごとに異なる電子マネー機材を自分の認証用に特定して登録することができる。
【００１５】
貸金庫ボックスを利用して蓋を閉じると、ブース内の受付パネルには、貸金庫ボックスの返却用の指示ボタンに加えて、再利用の指示ボタンが表示され、そのいずれかを選択することにより、貸金庫ボックスの返却、再利用を選択することができる。後者は、たとえばうっかりして貸金庫ボックスの蓋を閉じてしまったときなどにも貸金庫ボックスの再利用を許容するから、顧客にとって極めて便利であり、一層の使い勝手の向上を図ることができる。
【図面の簡単な説明】
【００１６】
【図１】全体模式平面図
【図２】要部斜視図
【図３】要部拡大斜視図
【図４】要部構成側面図
【図５】要部構成平面図
【図６】図５のＸ−Ｘ線矢視相当要部拡大断面図
【図７】制御ブロック系統図
【図８】データベース構成図
【図９】動作フローチャート
【図１０】ガイドメッセージ説明図
【発明を実施するための形態】
【００１７】
以下、図面を以って発明の実施の形態を説明する。
【００１８】
貸金庫装置は、金庫室１０に対し、仕切壁Ｗを介してブース２０を付設してなる（図１）。
【００１９】
金庫室１０は、必要十分な耐火性能、防盗性能を有するように構築されている。金庫室１０には、図示しないラックに対し、多数の箱状の貸金庫ボックスＢ、Ｂ…が複列多段に収納され、保管されている。また、金庫室１０内には、図示しない搬送システムが配備されており、搬送システムは、指定の貸金庫ボックスＢをブース２０に搬入して顧客に利用させ、利用済みの貸金庫ボックスＢを金庫室１０のラック内の所定の収納位置に戻し入れることができる。ただし、貸金庫ボックスＢは、仕切壁Ｗの開口部Ｗ1 を貫通して金庫室１０とブース２０との間に往復水平搬送されるものとし、図１には、開口部Ｗ1 の金庫室１０側、ブース２０側に位置する貸金庫ボックスＢがそれぞれ実線、二点鎖線で図示されている。
【００２０】
ブース２０は、金庫室１０側の仕切壁Ｗを含む四周が閉じられている。ブース２０の一方の側面には、入室用の自動ドア２１が装備され、自動ドア２１の近傍の室外側、室内側には、それぞれ入室する顧客を認証する入室用リーダ２１ａ、顧客が退室するための退室用センサ２１ｂが配設されている。また、仕切壁Ｗには、タッチパネル式の受付パネル２２、顧客の顔認証用のカメラ２３、顧客の生体認証用の生体認証装置２４が配置されている。ブース２０内には、丸テーブル２５、回転椅子２５ａが置かれている。なお、自動ドア２１は、内部から外部の気配を確認できるように、たとえば半透明にすることが好ましい。
【００２１】
貸金庫ボックスＢは、専用の移送ケース３０に収納し、仕切壁Ｗの開口部Ｗ1 を介して金庫室１０、ブース２０間の双方向に移送する（図２、図３）。移送ケース３０は、前板３１、左右の側板３２、３２を介して貸金庫ボックスＢを三方向から囲んで保持しながら、開口部Ｗ1 を貫通するようにして貸金庫ボックスＢを往復水平搬送する。前板３１、側板３２、３２の上端縁は、貸金庫ボックスＢの外形に適合する長方形の額縁部分３３に形成されている。移送ケース３０は、開口部Ｗ1 からブース２０側に突出する前進位置において、仕切壁Ｗとともに貸金庫ボックスＢの四周を隠蔽しながら貸金庫ボックスＢを取外し不能に保持し、手掛けＢ2 付きの上面の蓋Ｂ1 を開放可能に外部に露出させる（図３）。そこで、ブース２０内の顧客は、蓋Ｂ1 を上方に開いて貸金庫ボックスＢの内部を利用することができる（図２）。
【００２２】
なお、仕切壁Ｗ上において、受付パネル２２、カメラ２３、生体認証装置２４は、ブース２０内に搬入される貸金庫ボックスＢの上方に設置されており、移送ケース３０内の貸金庫ボックスＢは、立ち姿勢の顧客が内部にアクセスし易い床からの高さ位置に設定されている。また、利用済みの貸金庫ボックスＢは、蓋Ｂ1 を閉じた上、移送ケース３０を介してブース２０から金庫室１０に返却し、金庫室１０内の所定位置に自動的に戻し入れる。ただし、移送ケース３０は、ブース２０から金庫室１０側に退出する後退位置において、前板３１が仕切壁Ｗのブース２０側の表面に一致し、したがって、仕切壁Ｗと同一平面を形成するようにして開口部Ｗ1 を塞ぐ。
【００２３】
移送ケース３０は、仕切壁Ｗの開口部Ｗ1 を前後に水平移動自在に貫通する水平板４１の前半部に搭載されている（図４、図５）。なお、水平板４１の後半部は、移送ケース３０の前進位置においても金庫室１０側に残り、前半部より幅狭に形成されている。貸金庫ボックスＢは、水平板４１上のスペーサ部材４２を介して移送ケース３０に収納されている。移送ケース３０内の貸金庫ボックスＢは、水平板４１上の上向きのコネクタ４３を介し、必要な電源が供給され、外部の管理用のコンピュータとデータ通信することができる。ただし、図示のコネクタ４３は、４極の自動接触形であるが、これに代えて、たとえば電磁誘導式、赤外線通信式などの無接触形のコネクタを電源用、データ通信用として併用してもよい。
【００２４】
水平板４１の下面には、スライドレール４４、４４、ラック４５が前後方向に固定されている。各スライドレール４４には、前後一対のスライダ４４ａ、４４ａが組み合わされており、スライダ４４ａ、４４ａは、共通のスペーサ４４ｂを介して固定板４６上に搭載されている。一方、ラック４５に噛合するピニオン４５ａは、軸受４５ｃを介して固定板４６を上下に貫通する軸４５ｂの上端に固定され、軸４５ｂの下端は、大小のギヤ４５ｅ、４５ｆを介して駆動用のギヤドモータ４５ｇの出力軸に連結されている。なお、大径のギヤ４５ｅと軸４５ｂとの間には、トルクリミッタ４５ｄが介装されており、ギヤドモータ４５ｇは、ブラケット４５ｈを介して固定板４６の下面に装着されている。また、固定板４６は、仕切壁Ｗの金庫室１０側に設置する図示しない固定フレーム上に固定されている。
【００２５】
そこで、ギヤドモータ４５ｇからピニオン４５ａ、ラック４５に至る一連の部材は、水平板４１を介して移送ケース３０、貸金庫ボックスＢをブース２０側の前進位置（図４の実線、図５）と、金庫室１０側の後退位置（図４の二点鎖線）との間に往復水平移動させる駆動部となっている。
【００２６】
移送ケース３０の前板３１の上端、下端の下向き、上向きの折返し部分には、それぞれ左右に長いテープスイッチ３４が付設されている（図４）。移送ケース３０、貸金庫ボックスＢをブース２０から退出させるとき、顧客の手指が開口部Ｗ1 の上縁、下縁との間に挟まる不測の事故を検知して退出動作を停止させることができる。また、移送ケース３０の上端の額縁部分３３には、四周に連続するクッション材３３ａが貸金庫ボックスＢの上面の周縁部に対向するようにして下向きに装着されている。なお、移送ケース３０は、後端が開放されており、貸金庫ボックスＢは、移送ケース３０を金庫室１０側の後退位置に退出させた状態で、金庫室１０内の図示しない搬送システムを介し、移送ケース３０内のスペーサ部材４２上に後方から収納し、移送ケース３０から後方に取り出すことができる（図４の矢印Ｋ方向）。
【００２７】
貸金庫ボックスＢ内の手掛けＢ2 側の一端部には、上下方向の仕切板Ｂ3 を介し、制御用の基板５１、電気錠としてのソレノイド５２、蓋Ｂ1 の開閉検知用のリミットスイッチ５３が配設され（図６）、移送ケース３０側のコネクタ４３に対応するコネクタ５４が底部に設けられている。なお、仕切板Ｂ3 は、左右のブラケットＢ3a、Ｂ3aを介して立設されており、仕切板Ｂ3 の上端は、板材Ｂ3bを介して閉じられている（図２、図５）。
【００２８】
蓋Ｂ1 の手掛けＢ2 側の裏面には、補強用のブラケット５５ａを介し、板材Ｂ3bを上から下に貫通するロッド５５が垂設されている（図２、図６）。ソレノイド５２は、無通電時において、ばね５２ａを介して付勢するプランジャの先端をロッド５５の中途の凹部に横向きに係合させて蓋Ｂ1 を開放不能に施錠し（図６の実線）、通電時において、ばね５２ａに抗してプランジャを後退させてロッド５５との係合を外し、蓋Ｂ1 を開放可能に解錠する（同図の二点鎖線）。また、リミットスイッチ５３は、蓋Ｂ1 の閉鎖時にロッド５５の先端がアクチュエータに接触して作動する。コネクタ５４は、移送ケース３０側のコネクタ４３の各電極に対応する４接点を有し（図６の一点鎖線）、適切な絶縁板５４ａ、５４ｂを介して貸金庫ボックスＢの底部にねじ止めされている。
【００２９】
ブース２０の周辺の各部材は、共通の管理用のコンピュータＣに接続されている（図７）。すなわち、入室用リーダ２１ａ、退室用センサ２１ｂ、カメラ２３、生体認証装置２４の各出力は、コンピュータＣに接続され、コンピュータＣの出力は、自動ドア２１、ギヤドモータ４５ｇに個別に接続され、受付パネル２２、移送ケース３０内の貸金庫ボックスＢは、それぞれコンピュータＣに対して双方向に接続されている。
【００３０】
かかる貸金庫装置の作動は、たとえば次のとおりである。
【００３１】
まず、貸金庫装置の設置時において、貸金庫装置に含まれるすべての貸金庫ボックスＢ、Ｂ…に対し、それぞれ固有の貸金庫番号を付して表示するとともに、各貸金庫ボックスＢの基板５１内のフラッシュメモリに対し、重複することがない固有情報を登録して記憶させる。ただし、ここでいう固有情報は、専用の登録装置によりたとえば乱数と日付とを組み合わせて自動生成する１６〜３２桁程度の数字情報であって、各貸金庫ボックスＢに対して自動的に記憶させることが好ましい。なお、このような固有情報は、貸金庫ボックスＢを利用する顧客に依存するものではない。その後、各貸金庫ボックスＢごとに、金庫室１０内のラックに対する収納位置を定め、これらの情報を一括してデータベースとしてコンピュータＣに記憶させる（たとえば図８の１〜３行）。なお、各貸金庫ボックスＢの貸金庫番号、収納位置を共通にすることも可能である。
【００３２】
つづいて、顧客の貸金庫契約が成立すると、顧客が希望する貸金庫ボックスＢの貸金庫番号に対応させて、その貸金庫ボックスＢが契約済みである旨の情報、顧客の住所、氏名、連絡先などの顧客情報の他、顧客の識別情報、顔認証情報、生体認証情報を一括してデータベースに追加記憶させる（たとえば図８の４〜８行）。ここで、識別情報とは、顧客が自分の認証用として使用を希望する電子マネー機材内の非接触ＩＣチップのＩＤ番号であり、ブース２０の入室用リーダ２１ａにより読取り可能である。また、顔認証情報とは、顧客本人の顔写真情報であり、ブース２０のカメラ２３による撮影情報との対比に使用する。生体認証情報とは、顧客本人の生体情報であって、ブース２０の生体認証装置２４によって取得する生体情報との対比に使用する。なお、生体認証情報としては、指紋、掌紋、網膜パターン、虹彩パターン、掌の静脈パターンなどが使用可能であるが、認証時の顧客の負担が過大でなく、他人受入率が十分小さいなどの点で、掌の静脈パターンが優れている。
【００３３】
各顧客による貸金庫ボックスＢの利用手順は、たとえば図９のフローチャートのとおりである。
【００３４】
まず、顧客は、先きに貸金庫ボックスＢの利用のために自分の認証用として登録済みの電子マネー機材を入室用リーダ２１ａに近付けて認証する（図９のステップ（１）、以下、単に（１）のように記す）。すなわち、入室用リーダ２１ａは、電子マネー機材内の非接触ＩＣチップのＩＤ番号を読み取ってコンピュータＣに送出するから、コンピュータＣは、入室用リーダ２１ａからのＩＤ番号によってデータベースを検索し、ＩＤ番号に一致する識別情報の顧客を特定するとともに、その顧客が契約している貸金庫ボックスＢの貸金庫番号と、その貸金庫ボックスＢの金庫室１０内の収納位置とを特定する。
【００３５】
一方、コンピュータＣは、このようにして顧客が認証されて特定されると、自動ドア２１を開いて顧客をブース２０に入室させるとともに（２）、金庫室１０内の搬送システムを介して顧客の貸金庫ボックスＢをブース２０に搬入するための搬送動作を開始する。さらに、コンピュータＣは、受付パネル２２上に本人確認用のガイドメッセージ（図１０（Ａ））を表示する。なお、顧客がブース２０に入室すると、自動ドア２１は、自動的に閉まる。
【００３６】
ブース２０に入室した顧客は、ガイドメッセージに従って受付パネル２２の前に立つ。そこで、コンピュータＣは、カメラ２３を使用して顧客の顔写真を撮影し、データベースに記憶されている顔認証情報と照合して顔認証を実行するとともに（３）、顔写真データを貸金庫ボックスＢの利用履歴情報として保存する。
【００３７】
つづいて、コンピュータＣは、受付パネル２２上に生体認証用のガイドメッセージ（図１０（Ｂ））を表示するから、顧客は、ガイドメッセージに従って、生体認証装置２４による生体認証を実施する（４）。このとき、コンピュータＣは、生体認証装置２４からの生体情報をデータベース内の生体認証情報と照合する。その後、コンピュータＣは、顧客の生体認証が成立したことと、顧客の貸金庫ボックスＢが仕切壁Ｗの金庫室１０側に到達して後退位置の移送ケース３０に収納されたこととを条件として、受付パネル２２上に「取出」ボタンを表示する。
【００３８】
そこで、顧客は、「取出」ボタンを押し（５）、移送ケース３０を介して貸金庫ボックスＢをブース２０に搬入させる。移送ケース３０、貸金庫ボックスＢがブース２０内の前進位置に突出すると、コンピュータＣは、コネクタ４３、５４を介して貸金庫ボックスＢに電源を供給し、データベース内の当該貸金庫ボックスＢの固有情報を顧客の判別情報として貸金庫ボックスＢに送出する。ただし、このときのコンピュータＣは、貸金庫ボックスＢとの間に暗号によるデータ通信を実行するものとし、データ通信の前提として、必要な相互認証を実行するものとする。また、コンピュータＣからの顧客の判別情報には、解錠指示情報を付加してもよい。
【００３９】
一方、貸金庫ボックスＢの基板５１は、コンピュータＣからの顧客の判別情報としての固有情報と、基板５１のフラッシュメモリにあらかじめ記憶されている固有情報とを対比し、両者が一致することを条件として、ソレノイド５２による電気錠を作動させて貸金庫ボックスＢの蓋Ｂ1 を開放可能に解錠する。そこで、顧客は、貸金庫ボックスＢの蓋Ｂ1 を開けて内部を利用することができる（６）。なお、このようにして貸金庫ボックスＢの電気錠が解錠され、貸金庫ボックスＢが正常に利用し得る状態になると、コンピュータＣは、その旨を受付パネル２２上に大きく分かり易くメッセージ表示することが好ましい。
【００４０】
貸金庫ボックスＢの利用が終了すると、顧客は、貸金庫ボックスＢの蓋Ｂ1 を閉じ、貸金庫ボックスＢは、自動的に施錠される。そこで、コンピュータＣは、受付パネル２２上に、「開ける」、「返却」の各ボタンを含むガイドメッセージを表示して顧客に選択させる（図１０（Ｃ））。すなわち、「開ける」ボタンを押し操作すれば、貸金庫ボックスＢの電気錠が再度解錠されて蓋Ｂ1 が開放可能となり、貸金庫ボックスＢの再利用が可能になる。一方、「返却」ボタンを押し操作すると、返却指示となり（７）、移送ケース３０、貸金庫ボックスＢがブース２０から金庫室１０側の後退位置に退出し、その後、貸金庫ボックスＢは、金庫室１０内の所定の収納位置に自動的に戻し入れられる。そこで、顧客は、ブース２０の退室用センサ２１ｂに手を近付けることによりコンピュータＣを介して自動ドア２１を開き、そのままブース２０から退室すればよい（８）。なお、自動ドア２１は、その後、自動的に閉じる。
【００４１】
以上の説明において、貸金庫ボックスＢに登録する固有情報は、貸金庫ボックスＢの外部から書換できず、読出しできないようにすることにより、高いセキュリティを実現することができる。同様に、コンピュータＣ内のデータベースについても、十分高いレベルのアクセス権限を設定することにより、できるだけ高いセキュリティを実現することが好ましい。
【００４２】
また、貸金庫ボックスＢを収納して水平搬送する移送ケース３０や、駆動部を含む水平板４１などの図示の構成は、単なる一例であって、それに限定するものではない。なお、深さが異なる複数種の貸金庫ボックスＢが混在するときは、貸金庫ボックスＢの深さＨb に合わせてスペーサ部材４２を選択し、移送ケース３０内におけるスペーサ部材４２の高さＨ1 と貸金庫ボックスＢの深さＨb との合計寸法Ｈ＝Ｈ1 ＋Ｈb を移送ケース３０の実効深さＤに適合させるものとする（図４）。また、深さＨb ＝Ｄの貸金庫ボックスＢは、スペーサ部材４２を使用することなく、移送ケース３０に直接収納することができる。
【産業上の利用可能性】
【００４３】
この発明に係る貸金庫装置は、銀行や郵便局などの金融機関の店舗に限らず、スーパーやデパートなどの大形店舗などにも好適に設置することができる。
【符号の説明】
【００４４】
Ｂ…貸金庫ボックス
Ｂ1 …蓋
Ｗ…仕切壁
Ｗ1 …開口部
１０…金庫室
２０…ブース
２１ａ…入室用リーダ
３０…移送ケース
特許出願人      株式会社  富士精工本社
【図１】
0006029844.tif 000002
【図２】
0006029844.tif 000003
【図３】
0006029844.tif 000004
【図４】
0006029844.tif 000005
【図５】
0006029844.tif 000006
【図６】
0006029844.tif 000007
【図７】
0006029844.tif 000008
【図８】
0006029844.tif 000009
【図９】
0006029844.tif 000010
【図１０】
0006029844.tif 000011